(57)【特許請求の範囲】
【請求項１】
プロセスであって、
経時的に変化する第１のスペクトル分布を表す第１の照明データを生成するステップと、
複数の放射体を含む第１の光源を、前記複数の放射体からの光のそれぞれの強度が前記第１の照明データから決定されるものでありかつ前記複数の放射体の前記それぞれの強度の組合せが前記第１のスペクトル分布を生じさせるものであるように、動作させるステップとを含み、
前記動作させるステップは、
前記第１の光源が前記第１のスペクトル分布における経時的な変化を生じさせるように、前記複数の放射体からの光のそれぞれの強度を経時的に変化させるステップを含むことを特徴とするプロセス。
【請求項２】
前記第１の照明データが、前記第１のスペクトル分布の空間分布を表し、
前記プロセスが、
前記第１の光源から空間的に分離されている第２の光源を、前記第１及び第２の光源からの光の組合せが前記第１のスペクトル分布の空間分布を生じさせるように、動作させるステップをさらに含むことを特徴とする請求項１に記載のプロセス。
【請求項３】
前記第１の照明データが、さらに前記空間分布の経時的な変化を表し、前記第１及び第２の光源からの光の組合せについて前記動作させるステップを行うと、前記空間分布の経時的な変化が生じることを特徴とする請求項２に記載のプロセス。
【請求項４】
前記照明データを生成するステップが、第１の環境での光のスペクトル分布及び前記第１の環境における光のスペクトル分布の経時的な変化を測定しかつ記録するステップを含むことを特徴とする請求項１に記載のプロセス。
【請求項５】
前記第１の環境が、太陽、月、白色光、ガスの炎、ろうそく、石油ランプ、ケロシンランタン、石灰光、ブラックライト、虫を集める光、虫を寄せ付けない光、フィルム感光しない光、アークランプ及び任意の有色光からなる群から選択される光源を含むことを特徴とする請求項４に記載のプロセス。
【請求項６】
前記照明データを生成するステップが、
第２の環境のスペクトル分布を測定しかつ記録するステップと、
前記第１の環境の前記スペクトル分布の前記記録からのデータを前記第２の環境の前記スペクトル分布の前記記録からのデータと結合して前記第１の照明データを作成するステップとをさらに含むことを特徴とする請求項４に記載のプロセス。
【請求項７】
前記複数の放射体が少なくとも５つの放射体を含み、該複数の放射体の各放射体が、他の放射体とは異なる発光スペクトルを有することを特徴とする請求項１に記載のプロセス。
【請求項８】
前記複数の放射体の各放射体が、発光ダイオードを含むことを特徴とする請求項１に記載のプロセス。
【請求項９】
第２のスペクトル分布を表す第２の照明データを生成するステップと、
前記第１の光源を、前記複数の放射体からの光のそれぞれの強度が前記第２の照明データに依存するものでありかつ前記複数の放射体のそれぞれの強度の組合せが前記第２のスペクトル分布を生じさせるものであるように、動作させるステップとをさらに含むことを特徴とする請求項１に記載のプロセス。
【請求項１０】
前記第１の照明データを含む複数組の照明データを、前記第１の光源の動作を制御する再生装置に提供するステップと、
前記複数組の照明データのうちの１組を選択するステップと、
前記光源を、前記複数の放射体からの光のそれぞれの強度が前記選択された１組の照明データに依存するものであるように、動作させるステップとをさらに含むことを特徴とする請求項９に記載のプロセス。
【請求項１１】
前記第１のスペクトル分布が、前記第１の光源が第１のレベルのエネルギー消費で作り出すことができる最大有効輝度に相当し、
前記第２のスペクトル分布が、前記第１のスペクトル分布とは形状において異なり、かつ前記第１の光源が第２のレベルのエネルギー消費で作り出すことができる最大有効輝度に相当するものであることを特徴とする請求項９に記載のプロセス。
【請求項１２】
前記光源を動作させるステップが、前記複数の放射体のための駆動電流のそれぞれの大きさ及びオン時間を制御するステップを含むことを特徴とする請求項１に記載のプロセス。
【請求項１３】
システムであって、
各々が他とは異なる発光スペクトルを有する複数の放射体を含む第１の光源と、
前記複数の放射体の各放射体から放射される光の強度を別々に制御するように接続された再生装置とを含み、該再生装置が、経時的に変化するスペクトル分布を表す照明データにアクセスすることができ、かつアクセスされる照明データに応じて前記複数の放射体をそれぞれの強度で動作させ、それによって前記複数の放射体の前記それぞれの強度の組合せが、前記アクセスされる照明データによって表される前記スペクトル分布及び前記スペクトル分布における経時的な変化を生じさせるようにしたことを特徴とするシステム。
【請求項１４】
前記照明データは、前記スペクトル分布の空間的な変化をさらに表し、
空間的に分散している複数の光源を含み、各光源が複数の放射体を含み、
前記再生装置が、前記複数の放射体の各放射体から放射される光の強度を別々に制御するように接続されており、該再生装置が、スペクトル分布を表す照明データにアクセスすることができ、かつアクセスされる照明データに応じて前記複数の放射体をそれぞれの強度で動作させ、それによって前記複数の放射体の前記それぞれの強度の組合せが、前記アクセスされる照明データによって表される前記スペクトル分布及び前記スペクトル分布の空間的変化を生じさせるようにしたことを特徴とする請求項１３に記載のシステム。
【請求項１５】
前記再生装置が、
前記放射体に接続されたプログラム可能なドライバと、
複数の照明データファイルを含むデータストレージと、
前記データストレージに結合されたコントローラとを含み、該コントローラが、前記複数の照明データファイルのうちユーザが選択した照明データファイルにアクセスするプロセス及び前記プログラム可能なドライバを制御して前記複数の放射体に前記照明データファイルによって表されるスペクトルを有する光を集合的に発生させるプロセスを実行することを特徴とする請求項１３に記載のシステム。
【請求項１６】
前記データストレージが、前記放射体の性能を示す較正データをさらにストアすることを特徴とする請求項１５に記載のシステム。
【請求項１７】
前記複数の放射体の各々が、ＬＥＤを含むことを特徴とする請求項１３に記載のシステム。
【発明の詳細な説明】
【技術分野】
【０００１】
本発明は、照明の作成、記録及び複製に関する。
【背景技術】
【０００２】
可視光を含む約３５０ｎｍ〜７５０ｎｍの波長を有する電磁スペクトルの部分は、多くの目的に有用である。例えば、これらの波長は、生体系において有用な仕事をするのに十分なエネルギーではあるが生体系を破壊するほど強くはないエネルギーを供給することによって、人間が物を見ることや植物の光合成を可能にする。太陽は、このスペクトル範囲にある大量の放射線を生成し、これらの波長は、地球の大気により地表へ伝えられる。火及び稲妻などの他の自然光源、並びに白熱灯、蛍光灯及び固体照明などの人工光源もまた、このスペクトル範囲内で電磁放射線または光を発生させる。
【０００３】
人間は、太陽照明下での生活に適応しているので、太陽からの照明は、ほぼ間違いなく照明の「一般的な基準」である。太陽の光の量は、時間とともに暗闇から眩しいギラギラする光へと変化する。太陽は、狭い領域（太陽面）からの強いコリメート光と、広い領域（青空）からの柔らかい散光とを有する。太陽からの光のスペクトル分布、位置及び方向もまた、太陽が空を横切って移動するにつれて、比較的一定の方法で変化する。これらの太陽照明パターンは、多くの場合に太陽パターンによって影響されるような、人間の覚醒−睡眠周期及び動植物のライフサイクルなどの多くの生物学的過程に影響を及ぼす。
【０００４】
人工光源からの照明の動的変化は、概して、太陽からの照明の動的変化よりずっと小さい。ろうそく、白熱電球、蛍光灯及び放電ランプの場合、供給される光のスペクトル及び（かなりの程度まで）量が、設置時に定められる。限られた範囲で多少の調光及びスペクトル変化が可能であるが、これらの照明システムの大部分からの照明は静的である。さらに、調光またはスペクトルの変更が可能である場合には、調光は、多くの場合に光源のエネルギー効率を低下させるし、従来は光学フィルタにより達成されていたスペクトルの変更は、エネルギーの無駄を非常に大きくしかねない。他の光質、例えば、位置、方向及びビーム広がりなども、ほとんど設置時に定められる。しかし、人間の目の感度は非常に優れているので、この静的な柔軟性のない照明であっても、多くの場合には許容範囲にある。
【発明の概要】
【発明が解決しようとする課題】
【０００５】
より大きな柔軟性及び動的品質を提供する照明システム及び方法が望まれている。
【課題を解決するための手段】
【０００６】
或る態様によれば、本発明の照明システム及び方法は、従来のアプローチに比べて、光質の幾つかの側面を改善する。具体的には、照明データによって、ＬＥＤなどの固体放射体を複数含む再生装置及び照明器具を用いて作り出すことができる連続広スペクトル照明を定義することができる。照明データは、既存の天然または人工照明環境から記録または作成することができ、発生させる光の質を定義するスペクトル情報、時間的情報及び空間的情報を含むことができる。照明器具内の個々の放射体の強度は、駆動電流のパルス幅変調（ＰＷＭ）と振幅変調（ＡＭ）との組合せによって制御可能である。ＰＷＭとＡＭとの組合せにより、発光スペクトルの微調整及び自由空間光データチャネルの創出が可能になる。
【０００７】
１つの特定実施形態によれば、本発明のプロセスは、望ましいスペクトル分布を表すように照明データを生成し、該照明データを用いて、発光のピーク波長が異なるＬＥＤなどの複数の放射体を含む光源の動作を制御する。具体的には、光源は、複数の放射体からの光のそれぞれの強度が照明データから決定されるものでありかつ複数の放射体のそれぞれの強度の組合せが所望のスペクトル分布を生じさせるものであるように、複数の放射体を動作させる。照明データは、特定環境での照明特性の記録やゼロからの照明データの作成を含む様々な方法によって、所望の機能または美的効果を達成するように作成することができる。
【０００８】
別の特定実施形態によれば、本発明のシステムは、１若しくは複数の光源と、１若しくは複数の光源に接続された再生装置とを含む。各光源は、各放射体が他の放射体の発光スペクトルとは異なる発光スペクトルを有するような複数の放射体（ＬＥＤなど）を含む。再生装置は、複数の放射体の各放射体から放射される光の強度を別々に制御するように接続される。再生装置はさらに、スペクトル分布を表す照明データにアクセスすることができ、該照明データを用いて、照明データによって表される照明を作り出すために必要な複数の放射体からのそれぞれの発光強度を決定する。
【０００９】
さらに別の実施形態によれば、本発明のビジネス方法は、所望の照明のスペクトル分布を含む情報を表す照明データを作成するステップを含む。照明データは、所望の照明を再現するように照明システムを通じて再生されることができるファイル形式で販売されることができる。
【図面の簡単な説明】
【００１０】
【図１】数個の狭帯域放射体を含む光源の見掛けの色を示す色度図である。
【図２】本発明の或る実施形態に従って、広波長範囲を有する照明を提供するために狭帯域光源を用いた照明器具を示す。
【図３Ａ】本発明の或る実施形態に従って、光源からのプログラム可能なスペクトル分布を示す。
【図３Ｂ】プログラム可能なスペクトル分布を生じさせるためにＬＥＤの直接発光のスペクトルとの併用が可能な蛍光体変換型ＬＥＤのスペクトルを示す。
【図４】本発明の或る実施形態に従って、部屋を照らすためのシステムを示す。
【図５】本発明の或る実施形態に従って、照明データを記録するためのシステムを示す。
【図６】本発明の或る実施形態に従って、照明データを販売するためのビジネス方法を示すフロー図である。
【発明を実施するための形態】
【００１１】
固体光源、中でも注目すべきはＬＥＤ（発光ダイオード）の出現は、従来の真空・可燃性光源に代えて、ずっと長持ちし、より頑強で、よりエネルギー効率のよい代替手段を提供してきた。しかし、ほとんどの従来の光源は広スペクトル（例えば白色光）放射体である一方で、ＬＥＤは通常、比較的狭い波長分布を有する有色光を本質的に発生させる狭スペクトル放射体である。多くの場合に白色光が好ましいので、白色に見える青色ＬＥＤ及び黄色蛍光体を用いたＬＥＤシステムが開発されてきた。しかし、従来のＬＥＤシステムからの光は、一般に多くの照明用途にとって理想的とは言えない。本発明の或る態様によれば、単に白色などの特定の色の見えを提供するのではなく、互いに異なる色または発光ピークを有する複数のＬＥＤを組み合わせて所望のスペクトルを有する照明を提供することができる。
【００１２】
光源の見掛けの色は、図１に示すような国際照明委員会（ＣＩＥ）色度図１００などの色度図を用いて大まかに決定することができる。色度図１００は、可視スペクトルすなわち約３８０ｎｍ〜７００ｎｍの波長を有する単色光のスペクトル色に相当する境界線１１０を有する。色度図１００の境界線１１０内の点は、スペクトル色の組合せに応じて人間の目が認識する色に相当する。具体的には、点または領域１２０は、白色に相当し、白色は複数のスペクトル色の数多くの異なる組合せを用いて作り出されることができる。例えば、白色光は、正しい温度まで加熱される黒体によって発生させることができる。図１では、曲線１２５は、理想黒体の温度範囲にわたって黒体放射の見掛けの色を表している。よく知られているように、黒体は、約１５００°Ｋで赤っぽい色に光り始め、黒体の温度が上昇するにつれて橙色及び黄色に変化し、約４０００〜６０００°Ｋの温度では白っぽく見える。白色光は、一般的に、フィラメントの電気加熱により白く見える光を発生させ、白熱電球からの光は、黒体放射と類似のものであることができる。
【００１３】
黒体放射のスペクトルは連続スペクトルであるが、白色の見えも、ただ２つのスペクトル色のみを用いて達成することができる。具体的には、色度図１００内の２点を結ぶ線が白に対応する領域１２０を通過するならば、これらの点にそれぞれ相当する色を有する２つの光源は、適切な強度比で混合されると白く見える。図１は、スペクトルの色である青色及び黄色にそれぞれ相当する点１３２及び１３４を結ぶ線１３０が領域１２０を通過することと、青色及び黄色の光を組み合わせると、２つの色の強度の比率が領域１２０内の或る点に相当する場合に白く見えることとを具体的に示している。線１４０も領域１２０と交差しており、白色の見えを作り出すために代替的に他の色、例えばシアン（点１４２）及び赤（点１４４）を用いることができることを示している。しかし、二色システムは、光源としてあまり融通の利くものではない。具体的には、二色光システムは、色度図内の対応する２点を結ぶ線上に色の見えを作り出すことしかできない。さらに、二色光源を用いての照明は、太陽などの自然光源のフルスペクトル成分を提供することができず、従って照明は、さらに後述するようなメタメリズムの問題に悩まされる。
【００１４】
例えばカラービデオディスプレイのための或る範囲の色の感覚を生み出すには、一般に少なくとも３つの色の照明が必要である。通常、３つの色は、赤色、緑色及び青色、例えば、色度図１００の点１５２、１５４及び１５６である。これらの原色の強度の比率を変えると、色度図１００に示すような頂点としての点１５２、１５４及び１５６を有する三角形１５０内に任意の色（白色を含む）を作り出すことができる。ほとんどのビデオディスプレイ（ＴＶ、コンピュータ、球場スクリーンなど）は、赤色、緑色及び青色の光の相対強度の変化を用いることで、相対的に全範囲の色の感覚を生み出す。人間の目は通常３種類の錐体視細胞を有し、それぞれの錐体視細胞は赤色、緑色及び青色の光に最も敏感であるので、異なる色の感覚を達成することができる。ＬＥＤは、赤色、緑色及び青色で作ることができるので、三色を用いたＬＥＤディスプレイは、表示、アクセントまたは照明のための変色可能または静的な有色光を発生させることができる。
【００１５】
三原色システムは、多くの色の感覚をうまく創出するが、そのようなシステムは、太陽、火または白熱電球などの広スペクトル源の連続スペクトル及び特定のスペクトルパワー分布を正確に表すには到底及ばない。従って、三原色システムは、特に放射される三原色間または三原色外に大きな反射率を有する対象に対して、照明光源として完全に満足のいくものではない。照明スペクトルの違いは、通常、対象の見えを変えることができ、ほとんどの人は、色が最良に見えるように対象を見るために太陽光または少なくとも連続スペクトル源を好むであろう。三原色を用いた照明に対する連続スペクトル源、特に太陽の別のメリットは、照らされる対象において蛍光発光を生じさせることができる短波長光の存在である。蛍光発光は、そうでなければ不良な照明下でぼんやりして見えてしまうであろう対象を輝かせるのに役立つ。
【００１６】
既に暗に示したように、互いに異なるスペクトル特性を持つ２つの物体が或る光源による照明下では同じに見えるが別の光源による照明下では同じに見えないような、メタメリズムとして知られている状態が存在する。この状態は、製造中に物体のスペクトル特性を調整することによって、あるいは物体の照明のスペクトル特性を制限することによって、回避または改善できる場合もある。しかし、これらのオプションは、多くの場合に利用可能でないかあるいは次善の結果を生み、観察者は、物体が異なる照明において異なる色に見えることに不満を抱きかねない。この例は、顧客が黒色のパンツと蛍光灯の下で一見したところ黒色のブレザーを店で購入し、そのブレザーが実際には濃紺であることに後になって太陽光の下で見て気付くときに起こる。
【００１７】
広スペクトル照明は、物体の見掛けの色を良くすることに加えて、複数のメリットを有し得る。錐体視細胞は、色を識別する眼細胞であり、人間の目の重要ではあるが小さな領域を占めているが、目には、網膜のより大きな部分に広がる桿体視細胞も含まれる。桿体視細胞は、低照明での周辺視野及び視覚にとって重要である。桿体視細胞は、約５０７ｎｍの光波長でピークになる暗順応曲線を有する。人間の目はまた、目の内面の大部分を覆う神経節細胞の層になっている複数のセンサを有する。これらのセンサは、非視覚情報を識別することができ、かつ睡眠／覚醒周期及びホルモン産生などの様々な身体機能の調整に関与すると考えられている。これらの細胞に対する最大感度は約４８０ｎｍにおいて生じるが、これは青色と緑色の間にあり、おおよそ青空の色である。これらの細胞の最大感度の波長は、通常は伝統的なＬＥＤ照明によって放射されるスペクトルの重要な領域ではない。正しいスペクトル領域で光を発生させる器具は、それゆえに、生物学的な利点を有し、より低照明条件下でも視覚を改善することができる。プログラム可能な連続スペクトル光源は、これらの条件及び所与の状態にとって重要である他の条件に対処することができる。
【００１８】
色の異常と、特定の生体系の最大感度に相当する波長を有する光を照明が提供しないこととは、可視スペクトルの広域部分またはそれを超える部分を連続的にカバーする照明を集合的に提供する多くの狭スペクトル源を使用することにより、実質的に解消することができる。図２は、複数のタイプのＬＥＤ２１０−１〜２１０−Ｎを含む本発明の或る実施形態に従う照明器具２００を示している。異なるタイプのＬＥＤ２１０−１〜２１０−Ｎは、異なる発光スペクトルを有し、集合的に、広範囲の波長、例えば、可視スペクトルの大部分をカバーしかつ紫外線波長または赤外線波長まで広がり得る範囲にわたって記録または作成されたスペクトル分布を生じさせるように構成されかつ動作されることができる。所望の波長範囲をカバーするために必要な複数のタイプのＬＥＤ２１０−１〜２１０−Ｎの数Ｎは、一般的にはＬＥＤ２１０−１〜２１０−Ｎの放射スペクトルの範囲及び幅によって決まる。例示的な実施形態では、ＬＥＤ２１０−１〜２１０−Ｎは、約４００ｎｍ〜約７００ｎｍの範囲にあるピーク発光波長を有する複数の異なる色（例えば５〜５０の異なる色）を有し、ＬＥＤ２１０−１〜２１０−Ｎのピーク発光波長は、個々のＬＥＤスペクトルが約１５〜３５ｎｍのＦＷＨＭを有するときに可視スペクトルを連続的にカバーするように約５ｎｍ〜約５０ｎｍの刻みで分けられることができる。光拡散体２１５は、艶消しにした透明材料の板などの光学素子であり、これを用いてＬＥＤ２１０−１〜２１０−Ｎからの光を混合し、全てのＬＥＤ２１０−１〜２１０−Ｎからの光を結合するような、より空間的に均一な照明を提供することができる。さらに、放射光のスペクトルのより良好な空間的均一性のために、同じタイプのＬＥＤ２１０−１〜２１０−Ｎを、ＬＥＤ２１０−１〜２１０−Ｎのアレイ内の異なる場所において散乱させることができる。
【００１９】
互いに異なるピーク発光波長を有する複数のＬＥＤは、異なる材料または構造を用いて製造されることができ、通常は別体をなすチップ上に提供されることになる。しかし、約５４０ｎｍ〜５９０ｎｍのスペクトルの一部は、この波長範囲が２つの支配的なＬＥＤ材料系の両極端、すなわちＩｎＧａＮ（５４０ｎｍ）及びＡｌＩｎＧａＰ（５９０ｎｍ）に近いので、現在のＬＥＤからの直接発光に対して非効率的である。１若しくは複数のＬＥＤ２１０−１〜２１０−Ｎに蛍光体（図示せず）を追加して、蛍光発光によりＬＥＤの直接発光を所望の波長に変換することができる。ＬＥＤの直接発光と比較したときに蛍光体変換の不利な点は、スペクトル分解能の劣化である。ＬＥＤ蛍光体の発光は、一般的に、ＬＥＤからの直接発光よりもずっと幅広のスペクトルプロファイルを有し、ＬＥＤと蛍光体の組合せからの放射スペクトルは、蛍光発光に相当する発光ピークと、ＬＥＤの固有発光波長からの第２のピークとを含み得る。これらの効果は、照明器具２００から放射される光の全スペクトルを調整する能力を制限する場合がある。たとえそうであったとしても、蛍光体変換型ＬＥＤは、連続スペクトルの成果において重要な役割を有すると見られる。
【００２０】
現在のＬＥＤ技術は、いくつかの波長の光をそれほど効率的には発生させないので、可視スペクトル全域にわたる波長のＬＥＤを用いると、エネルギー効率の損失が生じてしまうことがある。可視スペクトル全域にわたるより均一な最大強度を可能にするために、各タイプ（すなわち、同じかまたは非常によく似たピーク発光波長を有する）のＬＥＤの数は、異なっていてよい。例えば、照明器具２００の特定のタイプのＬＥＤの数は、各タイプのＬＥＤが同じ最大複合強度を有するように選択されることができる。あまり効率的でないＬＥＤの使用は、照明器具２００の総合エネルギー効率を低下させるが、最終スペクトルの正確さが優先事項であるときには不可避であるかもしれない。あるいは、スペクトル精度よりもエネルギー効率が選ばれるときに用いるために、例えば大抵の時にオン状態にある外灯のために、照明器具２００に、最もエネルギー効率のよい１若しくは複数のタイプのＬＥＤをより多く含めることができる。照明器具２００は、狭スペクトルを有するＬＥＤに加えて、またはその代わりに、同じ波長範囲をカバーするより広いスペクトルを有する光源を用いることもできる。具体的には、特定波長を有する光を発生させる際に利用可能なＬＥＤがあまり効率的でないとき、照明器具２００は、ＬＥＤからの直接発光によってそれほど効率的には生成されない波長を有する光を発生させるように、蛍光を発する蛍光体を有するＬＥＤを含むことができる。広スペクトル源は、スペクトル分解能がエネルギーの有効性ほど重要ではないときに用いられ得る。
【００２１】
ＬＥＤ２１０−１〜２１０−Ｎに加えて、照明器具２００には、ＥＤ２１０−１〜２１０−Ｎの各々から放射される光の強度を個々に調整するようにプログラム可能なＬＥＤ２３０のドライバを動作させる器具コントローラ２２０が含まれる。具体的には、ＬＥＤ２１０−１〜２１０−Ｎから放射される強度は、ＬＥＤ２１０−１〜２１０−Ｎの波長の範囲にわたって任意の所望のスペクトルパワー分布に近付ける照明を提供するように調整可能である。図３Ａは、それぞれのＬＥＤ２１０−１〜２１０−Ｎの固有ピーク波長λ１〜λNをそれぞれ有する狭帯域分布３１０−１〜３１０−Ｎの合計であるスペクトル分布３００の例を示している。図のスペクトル分布３００は、約３５０ｎｍ〜７５０ｎｍの全ての波長に対してほぼ等しい光強度を有する白色光に相当する。しかし、ＬＥＤ２１０−１〜２１０−Ｎに対する狭帯域スペクトル分布３１０−１〜３１０−Ｎのピーク強度Ｉ１〜ＩNは、図２のドライバ２３０の制御下でそれぞれの大きさを有する。照明器具２００は、それゆえ、強度Ｉ１〜ＩNの各々を別々に調整することによって、所望のスペクトルを再現することができる。スペクトル分布を再現することができる精度は通常、異なるピーク波長λ１〜λNの数、複数のタイプのＬＥＤ２１０−１〜２１０−Ｎの発光スペクトルの幅、各ＬＥＤ２１０−１〜２１０−Ｎの強度のダイナミックレンジによって決まる。スペクトル精度を最適化するために、多数（例えば約２０〜５０）のタイプの、各タイプが異なるピーク発光波長を有するような、ＬＥＤ２１０−１〜２１０−Ｎが望ましい。各タイプの発光スペクトルの幅は、他のタイプの、他のＬＥＤ２１０−１〜２１０−Ｎの発光スペクトルと尚も重なりつつ、できる限り狭いものとする。しかし、再現されるスペクトルの精度があまり重要でないときや、所望の波長を有する光を発生させる際に光源のスペクトルが幅広である方がより効率的であるときには、図３Ｂに示すスペクトル分布３２０−１〜３２０−Ｎなどのより幅広な分布を有する蛍光体変換型ＬＥＤの光源を用いることができる。
【００２２】
ドライバ２３０は通常、ＬＥＤ２１０−１〜２１０−Ｎの各々を、ＬＥＤ２１０−１〜２１０−Ｎのそれぞれの駆動電流のパルス幅変調（ＰＷＭ）及び／または振幅変調（ＡＭ）によって、ほぼ全ての所望の程度まで薄暗くすることができる。本発明の一実施形態では、独立した駆動電流がＬＥＤ２１０−１〜２１０−Ｎの強度をそれぞれ制御し、ＬＥＤドライバ２３０は、駆動電流の振幅をＬＥＤ２１０−１〜２１０−Ｎに変調し、ＰＷＭ及びＡＭ制御の両者に対して駆動電流のオン時間を変更する。ＰＷＭ及びＡＭの両者を用いることは、単に一方または他方を用いるよりも有利な点を有する。具体的には、照明器具２００のための照明強度の所望の全ダイナミックレンジは、１００，０００：１以上であり得る。それゆえ、ＡＭの範囲１０：１〜１０００：１が望ましいであろう。照明器具２００の駆動電流の制御にＡＭが用いられない場合は、所望の最大ルーメンを達成するために大きさが大きい電流が必要とされるであろうし、調光は、駆動電流のより短いパルスでしか達成されることができない。闇に近い照明での動作は、このとき、高速エッジを有する短いパルスを必要とし、何らかの方法で緩和しなければならないより多くの騒音（ＥＭＩ）を発生させる。さらに、ＬＥＤの効率は、多くの場合に駆動電流に反比例し、短い高電流パルスの使用は最大エネルギー効率をもたらさない。このことは、短波長ないし中波長に用いられるＩｎＧａＮ材料及び蛍光体変換型白色ＬＥＤに特に当てはまる。例えば、ＩｎＧａＮベースのＬＥＤの駆動電流を１０分の１に減少させると、効率が７０％増加する。駆動電流が増加すると、ドライバ２３０及び配線において熱として失われるエネルギー（すなわちＩ２Ｒ損失）も増加する。駆動電流の大きさを調整する能力は、ＰＷＭを単独で用いることによってこれらの問題を回避することができ、ＰＷＭとＡＭを組み合わせることによっても、各ＬＥＤ２１０−１〜２１０−Ｎの発光スペクトルを調整する方法を提供することができるが、その理由は、ＬＥＤのピーク発光波長は多くの場合に駆動電流の振幅と少なくとも何らかの相関関係を有するからである。
【００２３】
ＰＷＭまたはＡＭの使用は、静的かつ比較的遅い照明効果に限定されない。ＬＥＤは、目にも留まらぬ（または多くの機械ですら検知できない）ほど速く、超高速でスイッチをオンオフされることができる。ＬＥＤ２１０−１〜２１０−Ｎの高速スイッチング速度は、データを送信するために利用されることができ、多くの場合には、同時に静的または平均的な照明が他の目的のために用いられる。さらに多種多様な波長源があれば、各ＬＥＤ２１０−１〜２１０−Ｎは、個別のデータチャネルの伝送のために作動することができ、利用可能なデータ帯域幅を大いに広げることができる。
【００２４】
上記したように用いられる図２の照明器具２００は、多くの異なる光源のスペクトル特性及び輝度特性を正確に再現するかまたはそれに近付けるか、あるいは作成者または技術者によって作り出されるパターンに従って照明を作り出すことができる。本発明の一実施形態では、照明器具２００は、照明データを用いて、当該照明器具２００が作り出す特定の照明を定義する。照明データは、通信インタフェース２５０を通じて照明器具２００へ入力するか、またはストレージシステム２６０にストアすることができる。例示的な実施形態では、通信インタフェース２５０は、照明器具２００を、類似の照明器具または制御装置を含み得るネットワークに接続しており、さらには、ユーザが例えば照明器具２００の動作のために有効照明データを選択するように照明器具２００を制御できるようにするユーザインタフェースの一部である場合もある。照明器具２００内のストレージシステム２６０は、照明データ及び器具コントローラ２２０のための実行可能なコードをストアするために用いられることができ、かつ情報をストアすることができるいかなる種類のシステムでもあり得る。そのようなシステムには、ＤＲＡＭやフラッシュメモリなどの揮発性または不揮発性ＩＣメモリと、磁気ディスク、光ディスクまたはフラッシュドライブなどの取り外し可能なメディアのためのリーダとが含まれるが、これらに限定されるものではない。
【００２５】
図２は、ストレージ２６０を、プリセット２６２及びユーザファイル２６４を含む２種類の照明データを含むものとして示している。プリセット２６２は、デフォルト照明、すなわち多数のユーザに有用であるであろう照明を表す工場出荷時インストール済みの照明データファイルである。プリセットは、例えば、雲一つない夏日の正午の太陽や満月などの一般的な自然光源のスペクトル、ろうそくやキャンプファイヤーなどの炎に基づく光源のスペクトル、白熱灯や蛍光灯などの一般的な電気的光源のスペクトル、異なる強度範囲にわたり人間の視覚に対する最適なエネルギー効率を有する照明器具２００を提供するスペクトルを含み得る。ユーザファイル２６４は、照明器具２００にストアすることをユーザが選択した照明データである。ユーザファイル２６４は、プリセットに関して述べたのと同じタイプの照明データを含むことができるが、特定のユーザにとって特に興味深い照明データを付加的に含むことができる。例えば、或る個人は、自分の睡眠周期または自分の子どもの睡眠周期に最適化されたスペクトル成分及び時間変化を有する光を提供する照明データをストレージ２６０へロードし得る。研究者は、特定の植物または生物の成長を最適化する実験または照明のための所望のスペクトル成分を提供する照明を作り出す照明データをストレージ２６０へロードし得る。
【００２６】
プリセットまたはユーザデータとしてストレージ２６０にストアすることができる照明データファイルによって表されることができるような、多くの異なるタイプの照明がある。少し例を挙げると、照明器具２００は、特定の日、時間及び場所に現れるであろう太陽や月などの自然光源からの光のスペクトルを再現するかまたはそれに近付けることができる。照明データは、例えば、様々なタイプの白色光、蛍光灯、ガスの炎、ろうそく、石油ランプ、ケロシンランタン、アークランプ、または石灰光などの従来の人工光源を模倣するスペクトルを有する光を表すことができ、あるいは、ブラックライト、虫を集める光（bug light）、フィルム感光しない光、グローランプ、または任意の所望のフィルター効果に相当する有色光などの特定の効用を持つスペクトルを有する光を表すことができる。照明データによって表され得るこれらの異なるタイプの照明は全て、照明器具２００によって再現可能である。照明器具２００は、フィラメントが溶けるであろうから簡単には作ることができない５０００°Ｋのハロゲン光など、通常存在しない光源のスペクトルを有する光を発生させることもできる。この場合もやはり、上記したように、最適なエネルギー効率を生み出すように、例えば最良の人間の視覚のためまたは他の有用な目的のためのエネルギー消費量当たりの輝度レベルを有する照明器具２００のスペクトルの形状を変化させるように、照明器具２００に合わせて照明データを調整することができる。
【００２７】
照明データは、所望の照明情報を表すのに適した様々な異なるファイル形式を有することができる。例えば、静的スペクトル分布を、一連の異なる光の波長に相当する一連のサンプルを用いて簡単に表すことができる。あるいは、静的スペクトル分布を、スペクトル分布の特定の変換、例えばフーリエ変換の係数によって表すこともできる。照明データ内のさらなる情報は、スペクトル分布が時間または絶対強度とともにどのように変化するかを表すことができる。照明器具２００を他の類似の照明器具と併用して部屋または他の環境を照らすときには特に、照明のスペクトル及び強度の空間的変化を示すために、照明データに位置または方向情報をさらに含めることができる。
【００２８】
器具コントローラ２２０は、照明器具２００の動作のためにユーザが選択する照明データを復号化し、必要に応じて、照明データにおいて求められる照明をＬＥＤ２１０−１〜２１０−Ｎが作り出すようにドライバ２３０をプログラミングする。一般的に、ドライバ２３０の正しいプログラミングを決定するために、器具コントローラ２２０は複数のソースからのデータを利用することができる。例えば、器具コントローラ２２０は、ＬＥＤ２１０−１〜２１０−Ｎから放射されるピーク波長が被選択照明データで表される波長と異なるときに、アクティブ照明データに提供されている複数のサンプル間で補間することができる。較正データ２６６は、工場出荷時にストレージシステム２６０内に設定され得るが、ＬＥＤ２１０−１〜２１０−Ｎからそれぞれ測定される発光ピーク波長及び駆動電流、温度、または他の因子への発光強度依存度を示すことができる。各ＬＥＤに対して、器具コントローラ２２０は次に、較正データ２６６及び温度センサ２７０からの温度データを用いて当該ＬＥＤに必要とされる駆動信号を決定し、被選択照明データで表されるスペクトル分布に必要な貢献をすることができる。光センサ２８０を用いてＬＥＤ２１０−１〜２１０−Ｎからの放射光をモニタすることにより、器具コントローラ２２０は、照明器具２００が古くなるかまたは用いられるときに生じる性能の変化に従って、必要な駆動信号の計算を適合させることができる。
【００２９】
照明器具２００は、ＬＥＤ２１０−１〜２１０−Ｎの出力限界内で実質的に任意の照明スペクトルパワー分布を生じさせることができ、照明器具２００を他の類似の照明器具と併用して、照明の所望の空間的パターンを作り出すことができる。照明の空間的パターンは、スペクトル成分が変化し得るのと同じようにして時間的変化にさらされ得る。例えば、明け方から夕暮れまでの太陽の照射の経路を再現する照明は、１日の間に空間的変化、スペクトル変化及び強度変化を含むことになる。照明のための所望の空間的パターン、スペクトルパターン及び強度パターンを実現するシステムを、例えばシーン照明または家庭用照明に用いることができる。
【００３０】
図４は、空間的変化伴う照明を提供する本発明の或る実施形態に従う照明システムを含む部屋４００を示している。部屋４００には、複数の光源４１０、４２０及び４３０が含まれる。各光源４１０、４２０または４３０は、図２の照明器具２００などの柔軟性のある照明器具であり得るので、プログラム可能なスペクトルプロファイルを有する光を発生させることができる。照明制御／再生システム４５０は、光源４１０、４２０及び４３０とつながっているか、図４に示したような別体をなす装置であってもよいし、または照明器具４１０、４２０及び４３０のうちの１若しくは複数に物理的に組み込まれるものであってもよい。再生システム４５０には、所望の照明機能を実装するために特別に設計されたハードウェアまたは汎用コンピュータ実行ソフトウェアを含めることができる。
【００３１】
照明器具４１０、４２０及び４３０は、所望のスペクトル分布、時間分布及び空間分布を有する部屋照明を提供するように、再生システム４５０の制御下で、ネットワークとしての機能を果たすことができる。複数の照明器具４１０、４２０及び４３０の様々な物理的及び論理的配置が可能である。例えば、各照明器具４１０、４２０及び４３０は、ネットワークアドレスを有することができ、全ての照明器具４１０、４２０及び４３０は、直列に接続することができ、あるいは照明器具４１０、４２０及び４３０は、或る領域に天井の照明を提供するように、行と列の形で構成しかつアドレス指定することができる。用いられる構成は、再生システム４５０が各照明器具４１０、４２０または４３０と独立的な通信を行うことができるものであることが好ましい。
【００３２】
部屋４００内の照明のセットアップまたは動作中に、再生システム４５０は、個々の照明器具４１０、４２０または４３０の特性をポーリングして、静的情報及び動的情報を含み得る光源特性を決定することができる。静的情報には、例えば、照明器具４１０、４２０及び４３０の位置と、各照明器具４１０、４２０及び４３０の色の数と、放射体の種類とを含めることができる。動的情報は、照明器具４１０、４２０及び４３０の温度、寿命及び数を含み得る。再生システム４５０は、部屋４００の中の１若しくは複数の点において光のスペクトル分布を測定することができるセンサをさらに含むことができる。照明器具４１０、４２０及び４３０の測定された光または決定された特性並びに選択された照明データに基づいて、再生システム４５０は、それぞれの照明器具４１０、４２０及び４３０に対してスペクトル分布を選択し、再生システム４５０または照明器具４１０、４２０及び４３０は、部屋４００内で所望の照明を作り出すために必要な照明器具４１０、４２０及び４３０の放射体の駆動電流を計算することができる。
【００３３】
再生システム４５０は、部屋４００におけるスペクトル照明及び空間的照明の特定のスペクトル分布及び空間分布並びに時間変化を含む複雑な照明プログラムを実行することができる。例えば、照明データファイル内の空間的情報及びスペクトル情報は、照明システム内で再生するために具体的に記録された内容から、空などの大規模照明光源を模倣することができる。部屋４００内の照明は、このようにして、１日及び１年の特定の位置及び時間から記録された空からの拡散照明のスペクトル分布を再現することができる。さらに、部屋４００内の照明は、或る１日または季節にわたって、リアルタイムで、あるいは圧縮または延長された時間スケールで、空のスペクトル分布の時間変化をさらに模倣することができる。太陽に関連する明るい局部照明を、空光プログラムに重ね合わせることができる。あるいは、再生システム４５０を切り替えて、キャンプファイヤーまたはろうそくの光、白熱電球からの光を、あるいは落雷の閃光及びスペクトル特性さえも模倣する部屋４００内の照明を再現するようにすることができる。より一般的には、再生システム４５０は、その目的のために記録または作成された照明データファイルで表され得る任意の照明を作り出すように動作されることができる。
【００３４】
本発明のさらなる態様によれば、図２または図４の照明システムにおいて再現するために、既存の照明環境のスペクトル特性、時間特性及び方向特性を、レコーダシステムを用いて獲得することができる。図５は、図４の部屋４００内で再生するための照明パターンを記録することができる単純な記録システム５００を示している。記録システム５００には、異なる方向に向けられた複数の「カムコーダ」５１０、５２０及び５３０が含まれる。例えば、カムコーダ５２０は、真っ直ぐに空に向けられることができるが、カムコーダ５１０及び５３０は、選択されたコンパス方位に向けられかつ垂直に対して或る角度をなしている。あるいは、図４の照明システム４００などの特定の照明システム内の照明器具の位置に従って、カムコーダ５１０〜５３０の向きを選択することもできる。従来のカラーカムコーダは、３つのチャネル（赤、緑、青）しか有していないので、ここで望まれるフルスペクトル記録には一般的に不十分である。従って、各カムコーダ５１０、５２０及び５３０は、各画素センサが広スペクトル内の光に対して敏感であるような白黒カムコーダであることが好ましい。カムコーダ５１０、５２０及び５３０は、それぞれ、コリメータ及びプリズム、回折格子、または異なる波長を有する光を空間的に分離するその他の光学素子５１５、５２５及び５３５を備えることができる。結果として、スペクトルの所与の領域、例えば、３５０ｎｍ〜７５０ｎｍの波長を有する光が、各カムコーダ５１０、５２０または５３０のセンサアレイの表面に広がる。ひとたびカムコーダ内の画素センサが、異なる光の波長が広がる角度と関連付けられると、特定の波長の光の量を、当該波長に相当する位置で１若しくは複数の画素センサによって測定される強度から直接読み取ることができる。
【００３５】
ソフトウェアがインストールされたコンピュータやハード・ワイヤード・システムなどのデータレコーダ５５０は、一連の波長域で強度を決定し、かつ測定された強度を、関連するスペクトル情報、時間的情報及び空間的情報を保持する照明データファイル形式でストアすることができる。そのような記録のために用いられるフレームレート一般は、記録される照明効果のタイムスケールに依存することになる。例えば、屋外照明の終日の推移を記録するためには非常に低フレームレート、例えば毎分約１フレーム未満が適しているであろうが、日の出または日の入り時には、あるいは嵐が来ている間に照明を記録するためには、より高速のフレームレート、例えば毎秒１０フレームを用いることができる。他方では、稲妻は６０ｋｍ／ｓで進むことができるので、落雷からの照明を高忠実度で記録するためには毎秒１０００フレームのキャプチャレートが必要であろう。
【００３６】
カラーフィルタ付きの白黒カムコーダの代わりに、ハイパースペクトルカメラを用いて照明のスペクトルの状態変化及び空間的状態変化を記録することができる。ハイパースペクトルカメラは、基本的に各画素にスペクトロメータを有しており、多くの場合、ビデオまたはデジタルスチルカメラよりもずっと少ない画素を有する。ハイパースペクトルカメラは、公知であり、産業用プロセス制御や軍事及び環境目的での地球のリモートセンシングなどの用途に用いられる。ハイパースペクトルカメラは、高価であり、かつ適切な忠実度で照明を記録するために必要とされないであろう大量のデータを生成するという欠点を有する。
【００３７】
未加工の照明データを処理すると、照明データを、照明システムへの入力としてより役立つかまたは興味深いものにすることができ、照明設計者、芸術家及び研究者による便利な通信を行うことができる。例えば、多くの場合に、１日の太陽光などの元の照明情報は、非常にゆっくり変化し、照明のゆっくりとした変化は、有用な情報を失うことなくかなりの圧縮を可能にする。記録されたシーンを処理するかまたは組み合わせることも望ましいであろう。例えば、１つのろうそくの炎の記録を何度も重ね合わせて複数の独立したろうそくの見えを作り出すこともできるし、あるいは、ろうそくの炎の強度及びスペクトル分布を、自然のろうそくの相関色温度変化を模倣するように変更するか、または色温度を一定に保持して強度のみを変えることもできる。変更の他の例には、種々の独立的に記録された照明パターンをスムーズに他の形態に変えることによって、新たな独自の照明パターンを形成することが含まれる。晴れた日の太陽からの光は、例えば雨へ、その後は稲妻へ移行することができる。これらの移行には、スペクトル情報、空間的情報及び時間的情報を含めることができる。
【００３８】
未加工のファイルの処理の別の態様は、元の記録からの空間的情報またはスペクトル情報を、室内の光の実際の位置及び性能に変換することになる。光は、格子または何らかの特定の構造上にある必要はないであろう。代わりに、格子から独自の固定位置、有機的な配置（木の枝を通過する光をシミュレートする）まで、任意の存在場所を選択することができ、かつ、記録された照明データを、エリア照明システムにおいて既存の照明器具と併用するために前処理または変換することができる。
【００３９】
照明データを処理するための他のオプションには、時間フィルタリングまたは挿入が含まれる。例えば、雲、日の出、日の入り、または炎の揺らめきなどのつかの間の現象の影響を最小限に抑えるために、実際の照明データを平均することができる。あるいは、そのような一時的な現象は、演出された時間に現れるか、あるいは青空からの光や炎の橙色または青色の主部などの、より一定の照明を表す基準照明パターンにわたって無作為に挿入され得る。
【００４０】
作成者は、上記したように、芸術的に魅力的であるかまたは作成者の意図する効果を達成する照明を作り出すように、記録された照明データを変更し得る。しかし、作成者は、もう一つの方法として、記録された照明データに依らずに全く新しい照明データを作成することもできる。同様に、技術者は、照明に対する生体系の反応を最適化するなど特定の有用な機能または結果を生じさせるために照明データを作成することもできる。
【００４１】
図２の照明器具２００または図４の再生システム４５０は、様々な異なる照明パターンをストアする光ディスクまたは電子メモリなどの取り外し可能なメディアのためのデータポートまたはデータストレージを含み得る。それゆえ、部屋または他の場所を照らすためのシーンの選択を可能にするために、「プレイリスト」を作成することができる場合がある。例えば、「昼光」バージョンは、ろうそくの光と同様に、いつでも見せることができる場合がある。しかし、特定の時間、恐らくは夕食時のろうそくの照明及びその他の時間の見掛けの太陽光には、特定の照明がより適切であろう。照明システムは、「東」の天井に日の出を作り出し、１日の間の移り変わりを作り出し、「西」の天井に日の入りを作り出すことができる場合がある。「北」の空及び「南」の空を、望ましい天井または壁の任意の部分に描くこともでき、エンターテイメント用の照明及び有用な照明のために落雷及びオーロラなどの事象を追加することができる場合がある。機能的またはエンターテイメント用の照明に加えて、サーカディアンリズムの研究などの研究手順を創出し、照明システムのプレイリストに含めることもできる。そのようなプレイリストは、同じような興味を持つ他の人たちにとって都合がよい形に作り変えられることができ、音楽ＣＤ、ビデオディスク及びＭＰ３並びにインターネットで入手可能な他のデジタルエンターテイメントと同じ方法で商業的に販売され得る。
【００４２】
有用な、望ましい形式の照明データファイルは、一般に、音楽を作るのと同じ方法で作成する技能を必要とすることになる。従って、照明データは、著作者の作品として法的保護の対象となり得るものであり、商業的に使用許諾または譲渡され得る。図６は、作成された照明データの法的な機能を取り入れているビジネス方法６００のフロー図である。ビジネス方法６００は、照明データを作成するステップ６１０から始まる。照明データは、或る環境からの照明データの記録と、ゼロからの照明データの構築と、どちらか一方のソースからの照明データの結合または変更とを含む上記した方法を用いて作成することができる。ステップ６２０は、次に、ユーザに提供されている照明データを収集してストアする。例えば、照明データは、ウェブサイトなどの中央記憶場所にストアされることができるか、あるいは物理媒体ＣＤ−ＲＯＭまたはＤＶＤ−ＲＯＭ上にストアされることができる。その後、照明データをインターネットなどのネットワークを介して、または物理媒体の購入の一部としてダウンロードするために、ステップ６２０のようにユーザにライセンス料を課金することができる。ユーザは、次に、ステップ６４０で示すように、照明システム内の照明データを用いることができる。
【００４３】
照明システム及び各照明器具は、通常、色及び各色における出力レベルなどの異なる複数組の性能を有することになるので、ファイルが意図する照明システムにおいて正しく再生するカスタムファイルを作成するように、照明データを販売前に変更することができる。変更プロセスは、工場で記録し、かつ照明システムにストアし、または照明システムのシリアルナンバーでカタログに載せた照明器具の測定された特性を用いることができる。ソフトウェアは、適度に簡単な方法で、標準照明データを、所望の照明を正しく再生するように１若しくは複数のカスタムファイルに変換することができる。必要なカスタマイゼーションは、照明器具のシリアルナンバーを入力することによってダウンロード時に自動的に行われるようにすることができる。あるいは、照明器具は、標準照明データファイルを照明器具の特定の特性に必要とされる照明データに変換するために必要なプログラム及び処理能力を内蔵することができる。別のアプローチは、各照明器具を一貫した方法で機能させることになるので、標準照明データファイルを変更せずに用いることができる。
【００４４】
上記したような照明シーンを記録し、作成し、再生するためのツール一式は、音楽、ＴＶ、及び映画産業などのエンターテイメント産業に現在使用可能であるツールと類似したものであってよい。しかし、ここで説明したシステムの動作及び最終用途は、エンターテイメントまたは人間による消費に限定されない。例えば、人工光が用いられる農業では、生物学的過程の観点から、通常は植物に反射し（緑葉スペクトル）、無駄になるスペクトルの一部を取り除くことは、（エネルギーを節約するために）望ましい場合がある。産業用プロセス制御では、マシンビジョンシステムは、特別仕様のスペクトル照明から恩恵を受けて、認識システムの速度及び精度を上げることができるであろう。色材（例えば、ペンキ、染料、プラスチック及び繊維製品）を製造する会社もまた、繰り返し可能な特別仕様のスペクトル照明から恩恵を受けて、自社製品の品質及び一貫性を向上させることができるであろう。
【００４５】
本発明について特定の実施形態を参照しながら説明してきたが、説明は本発明の用途のほんの一例に過ぎず、限定的なものとして解釈されるべきではない。開示されている実施形態の特徴の様々な適合及び組合せは、以下の請求項によって画定される本発明の範囲内にある。
【図１】
0005529861.tif 000002
【図２】
0005529861.tif 000003
【図３Ａ】
0005529861.tif 000004
【図３Ｂ】
0005529861.tif 000005
【図４】
0005529861.tif 000006
【図５】
0005529861.tif 000007
【図６】
0005529861.tif 000008